(57)【要約】【課題】上ケースまたは下ケースの嵌合部の側面に接合用の凸部４を設けた構成とし、上下ケースを接合する際の超音波溶着において少なくとも上下ケースの嵌合部の側面に直接的に超音波振動を加えることで電池収納ケースの溶着面における耐久性を向上させることを目的としている。【解決手段】樹脂からなる上ケース１と下ケース２を互いに嵌合部を重ね合わせて当接部を接合することによって作り出される内部空間に二次電池を収納する電池収納ケース３であって、少なくとも前記上ケース１または下ケース２の嵌合部の側面Ａと突合せ面Ｂを接合したことを特徴とするものである。【選択図】図１
2011076968.tif 000002
【特許請求の範囲】
【請求項１】
樹脂からなる上ケースと下ケースを互いに嵌合部を重ね合わせて当接部を接合することによって作り出される内部空間に二次電池を収納する電池収納ケースであって、前記上ケースまたは下ケースの嵌合部の突合せ面および側面を接合したことを特徴とする電池収納ケース。
【請求項２】
前記嵌合部の突合せ面に上ケースと下ケースの側面が接触するようにスライドする傾斜部を設けた形状としたことを特徴とする請求項１に記載の電池収納ケース。
【請求項３】
前記上ケースまたは下ケースにおける嵌合部の側面の相対向する部分に接合用の凸部を設けたことを特徴とする請求項１に記載の電池収納ケース。
【請求項４】
前記上ケースおよび下ケースにおける嵌合部の側面の全面に接合用の凸部を設けたことを特徴とする請求項１に記載の電池収納ケース。
【請求項５】
樹脂からなる上ケースと下ケースを互いに嵌合部を重ね合わせて当接部を接合することによって作り出される内部空間に二次電池を収納する電池収納ケースの接合方法であって、前記上ケースと下ケースの嵌合部の突合せ面および嵌合部の側面に超音波振動を加えることにより接合することを特徴とする電池収納ケースの接合方法。
【発明の詳細な説明】
【技術分野】
【０００１】
本発明は、樹脂からなる上ケースと下ケースを互いに嵌合部を重ね合わせて当接部を接合することによって作り出される内部空間に二次電池を収納する電池収納ケースに関し、特に耐久性に優れた電池収納ケースとその接合方法に関するものである。
【背景技術】
【０００２】
近年、携帯用電子機器の電源として利用が広がっているリチウムイオン二次電池は、負極活物質にリチウムの吸蔵および放出が可能な炭素質材料等を用い、正極活物質にＬｉＣｏＯ２等の遷移金属とリチウムの複合酸化物を電極活物質として用いており、これによって高電位で高放電容量のリチウムイオン二次電池を実現している。リチウムイオン二次電池は電子機器および通信機器などに利用されているが、近年の多機能化に伴って電池収納ケースの耐久性の向上が望まれている。
【０００３】
ここで、電池収納ケースの耐久性の向上を実現するための樹脂ケースの構造としては、少なくとも上ケースまたは下ケースどちらか一方の嵌合部の底面に接合用の凸部を設けて超音波溶着する方法が用いられており、接合用の凸部が溶融しやすい構造にすることでより高い耐久性を得ることができる。また、上述のリチウムイオン二次電池を樹脂からなる下ケースに収納し、次いで樹脂からなる上ケースを嵌合部を介して重ね合わせた後に組み合わせたケースの上下面より超音波振動を加えて接合用の凸部を溶融させて上ケースと下ケースを溶着することによりリチウムイオン二次電池パックが構成される。
【０００４】
ところで、リチウムイオン二次電池の高容量化が進む一方で重視すべきは安全対策であり、特に電池収納ケースが溶着面から分割されることにより、収容されたリチウムイオン二次電池が外部へ飛び出すことがある。このリチウムイオン二次電池は衝撃によって引き起こされる内部短絡などが原因でリチウムイオン二次電池の急激な温度上昇が起こり熱暴走に至る恐れもあるため、リチウムイオン二次電池の安全性および電池収納ケースの溶着面における耐久性の向上が強く要求されている。特に、大型・高出力なリチウムイオン二次電池では熱暴走の発生確率が高くなるため、電池収納ケースの溶着面における耐久性を向上させる工夫が必要である。
【０００５】
上述のように電池収納ケースが溶着面から分割する要因としては、溶着面に異物が混入する以外にも図７に示したように、上ケース９と下ケース１０とを超音波を加えることにより溶着する際に少なくとも上ケース９または下ケース１０のどちらか一方の形状が樹脂成形後の収縮により歪んでいることによって、溶着面積が小さくなることが考えられる。より詳しくは、電池収納ケース１１を溶着する際には構成要素である上ケース９、下ケース１０にはケースを成形した後に発生する収縮による歪みが加わり、この際のケースにおける歪み量の差によって接合用の凸部１４がケースの溶着面に接しないことになる。これにより少なくとも上ケース９または下ケース１０に設けられた接合用の凸部１４は超音波振動による溶け代が少なくなり、溶着量および溶着面積が減少することによって接合強度が低下してしまう。
【０００６】
例えば、図７に示したように上ケース９が下ケース１０の嵌合面に対して凹状に歪んでいる場合には上ケース９に設けられた接合用の凸部１４と下ケース１０の間に空間が生じる（図中のＤの状態）。この状態で上ケース９と下ケース１０の上下面より超音波振動を加えて接合用の凸部１４を溶融させて上ケース９および下ケース１０を溶着させようとしても、上記の接合用の凸部１４と下ケース１０の間は空間のままもしくは溶着面積小となる。よって、上記の方法で接合された電池収納ケース１１は外観上からはその接合強度を
判別しづらく、通常使用時においても溶着面から分割する可能性がある。
【０００７】
そこで、溶着面の分割を抑制するために、図８（ａ）に示す上ケース９と下ケース１０を接合した電池収納ケース１１の断面図において、溶着面を拡大した図８（ｂ）や図８（ｃ）の斜視図に示したようにケースの溶着面を網目形状１２や梨地形状１３などに形成することによって溶着面積を大きくする方法が提案されている（例えば、特許文献１参照）。
【０００８】
また、電池収納ケース３の耐久性を向上させるために、図９に示したように少なくとも上ケース９または下ケース１０に設けられた接合用の凸部１４が、嵌合部の底面Bにて超音波振動により溶融し上ケース９と下ケース１０の嵌合部の隙間に入り込むことで上ケース９と下ケース１０を接合する方法が提案されている（例えば、特許文献２参照）。
【先行技術文献】
【特許文献】
【０００９】
【特許文献１】特開平１０−２３６４３８号公報
【特許文献２】特開２００８−７８９６７号公報
【発明の概要】
【発明が解決しようとする課題】
【００１０】
しかしながら、少なくとも上ケースまたは下ケースどちらか一方に設けられた接合用の凸部１４の溶着面積を大きくする従来の技術においては、溶着面が上ケースと下ケースの突合せ面にしか存在しないため外部から加えられる多方向からの衝撃に対しては効果が小さく、さらに成形起因による反りのあるケースに関しては接合用の凸部１４がケースに接触しないため著しく接合強度が低く電池収納ケースの分割を抑制することが困難であるという課題を有していた。加えて、上述した特許文献１に示される従来技術では、溶着面における接合用の凸部が網目形状の溶着面１１や梨地形状の溶着面であるために占有面積が大きく、超音波溶着に要するエネルギーが従来よりも多く必要になってしまう。
【００１１】
また、特許文献２の従来技術では、超音波振動によって溶融させた接合用の凸部１４を上ケース９と下ケース１０の嵌合部に流れこませて隙間を埋めることで電池収納ケース１１を構成するが、上ケース９と下ケース１０の嵌合部に流れ込んで隙間を埋めた樹脂は直接的に超音波振動が加えられたものではないために嵌合部におけるケースと接合用の凸部１４との接合強度は低くなってしまう。
【００１２】
本発明は、上記従来の課題を鑑みてなされたもので上ケースまたは下ケースの嵌合部の突合せ面および側面に接合用の凸部を設けた構成とし、上下ケースを接合する際の超音波溶着において上下ケースの嵌合部の突合せ面および側面に直接的に超音波振動を加えることで電池収納ケースの溶着面における耐久性を向上させることを目的としている。
【課題を解決するための手段】
【００１３】
上記目的を達成するために本発明の電池収納ケースは、樹脂からなる上ケースと下ケースを互いに嵌合部を重ね合わせて当接部を接合することによって作り出される内部空間に二次電池を収納する電池収納ケースであって、上ケースまたは下ケースの嵌合部の突合せ面および側面を接合したことを特徴とするものである。
【発明の効果】
【００１４】
本発明の電池収納ケースによると、上ケースまたは下ケースの嵌合部の突合せ面および側面の接合用の凸部へ直接的に超音波振動を加えることで反りによる接合強度の減少を抑え、電池収納ケースの溶着面における耐久性を向上させる機能を持たせた構成としたこと
により、溶着面からの分割を低減し収容されたリチウムイオン二次電池が外部へ飛び出すことを抑制することが可能であり、これらに起因した内部短絡を抑制し安全性の高い電池収納ケースを提供することが可能である。
【図面の簡単な説明】
【００１５】
【図１】（ａ）本発明の一実施の形態に係る溶着前の電池収納ケースの要部を示す部分断面図、（ｂ）本発明の一実施の形態に係る溶着後の電池収納ケースの要部を示す部分断面図
【図２】本発明の電池収納ケースの構成を示す斜視図
【図３】本発明における別の実施の形態に係る溶着前の電池収納ケースの要部を示す部分断面図
【図４】（ａ）本発明における別の実施の形態に係る溶着前の電池収納ケースの要部を示す部分断面図、（ｂ）本発明における別の実施の形態に係る溶着前の電池収納ケースの要部を示す部分断面図、（ｃ）本発明における別の実施の形態に係る溶着前の電池収納ケースの要部を示す部分断面図
【図５】（ａ）本発明における別の実施の形態に係る溶着前の電池収納ケースの要部を示す部分断面図、（ｂ）本発明における別の実施の形態に係る溶着前の電池収納ケースの要部を示す部分断面図
【図６】本発明の一実施の形態に係る電池収納ケースの接合方法を示す断面図
【図７】従来例の電池収納ケースの構成を示す斜視図
【図８】（ａ）従来例の電池収納ケースの構成を示す断面図、（ｂ）従来例の電池収納ケースの要部を示す斜視図、（ｃ）従来例の電池収納ケースの要部を示す斜視図
【図９】（ａ）従来例における溶着前の電池収納ケースの要部を示す部分断面図、（ｂ）従来例における溶着後の電池収納ケースの要部を示す部分断面図
【発明を実施するための形態】
【００１６】
本発明の第１の発明においては、樹脂からなる上ケースと下ケースを互いに嵌合部を重ね合わせて当接部を接合することによって作り出される内部空間に二次電池を収納する電池収納ケースにおいて、上ケースまたは下ケースの嵌合部の突合せ面および側面を接合し反りによる接合強度の減少を抑え、電池収納ケースの溶着面における耐久性を向上させる機能を持たせた構成としたことにより、溶着面からの分割を低減し収容されたリチウムイオン二次電池が外部へ飛び出すことを抑制することが可能であり、これらに起因した内部短絡を抑制し安全性の高い電池収納ケースを提供することができる。
【００１７】
本発明の第２の発明においては、嵌合部の底面を傾斜した形状としたことにより樹脂が溶融する際に嵌合部がスライドし、上ケースと下ケースの嵌合部の側面が互いに接触することが可能となり、より多くの樹脂が溶着に消費されて強固な溶着が行われるため接合強度を向上させることができる。これにより電池収納ケースの溶着面における耐久性を向上させることが可能となる。突合せ面と側面を嵌合することで接合するため、凸部４を設けなくても確実に接合できる。さらに位置ズレ防止効果も期待できる。
【００１８】
本発明の第３の発明においては、上ケースまたは下ケースにおける嵌合部の側面の相対向する部分に接合用の凸部を設けたことにより、本発明の第１に比べて溶着で消費されるエネルギーを少量に抑えることができ、さらに嵌合部における接合強度を向上させるための接合用の凸部を超音波溶着することで電池収納ケースの溶着面における耐久性を向上させることが可能となる。
【００１９】
本発明の第４の発明においては、上ケースおよび下ケースにおける嵌合部の側面の全面に接合用の凸部を設けたことにより、本発明の第３に比べて電池収納ケースの溶着面における耐久性を向上させることが可能となる。
【００２０】
本発明の第５の発明においては、電池収納ケースの接合方法として、樹脂からなる上ケースと下ケースを互いに嵌合部を重ね合わせて当接部を接合する方法であって、ケースの嵌合部の突合せ面および嵌合部の側面に超音波振動を加えることにより、ケースの嵌合部の突合せ面および嵌合部の側面が溶着することで電池収納ケースの溶着面における耐久性を向上させることが可能となる。
【００２１】
以下、本発明の一実施の形態について図面を参照しながら説明する。図１（ａ）は本発明の一実施の形態に係る溶着前の電池収納ケース３の要部を示す部分断面図であり、接合強度を向上させるための接合用の凸部４を設けている。図１（ｂ）は溶着後の電池収納ケース３の要部を示す部分断面図である。ここで、本発明の電池収納ケース３は樹脂からなる上ケース１と下ケース２を互いに嵌合部を重ね合わせた後に上ケース１または下ケース２の少なくともどちらか一方の嵌合部の側面Ａおよび突合せ面Ｂを接合することによって構成されている。上記の接合により、図８（ｂ）に示すように嵌合部の接合面に溶融樹脂による接合部Ｃが形成される。
【００２２】
また、図２は上記のようにして上ケース１と下ケース２を接合した本発明の電池収納ケース３の構成を示す斜視図である。また、図３は本発明における別の実施の形態に係る溶着前の電池収納ケース３の要部を示す部分断面図である。ここで、本発明の電池収納ケース３は嵌合部の突合せ面Ｂに上ケース１と下ケース２の側面が接触するようにスライドする傾斜部を設けた形状であり、樹脂からなる上ケース１と下ケース２を互いに嵌合部を重ね合わせた後に嵌合部の側面Ａおよび突合せ面Ｂを接合することによって構成されている。突合せ面と側面を嵌合することで接合するため、凸部４を設けなくても確実に接合できる。さらに位置ズレ防止効果も期待できる。
【００２３】
また、図４（ａ）〜（ｃ）は本発明における別の実施の形態に係る溶着前の電池収納ケース３の要部を示す部分断面図である。ここで、本発明の電池収納ケース３は図４（ａ）に示す下ケース２に接合用の凸部４を設けた形状、または図４（ｂ）に示す上ケース１に接合用の凸部４を設けた形状、または図４（ｃ）に示す上ケース１と下ケース２の両方に接合用の凸部４を設けた形状であり、樹脂からなる上ケース１と下ケース２を互いに嵌合部を重ね合わせた後に嵌合部の側面Ａおよび突合せ面Ｂを接合することによって構成されている。これによりケースが縦方向に反り返っている場合でも、横方向で溶着することが可能となり、電池収納ケースの溶着面における耐久性を向上させることができる。さらに本発明の第１の発明に比べて溶着で消費されるエネルギーが少量で済む。
【００２４】
また図５（ａ），（ｂ）は本発明における別の実施の形態に係る溶着前の電池収納ケース３の要部を示す部分断面図である。ここで、本発明の電池収納ケース３は図５（ａ）に示す下ケース２の側面の全面および突合せ面Ｂに接合用の凸部４を設けた形状、または図５（ｂ）に示す上ケース１の側面の全面および突合せ面Ｂに接合用の凸部４を設けた形状であり、樹脂からなる上ケース１と下ケース２を互いに嵌合部を重ね合わせた後に嵌合部の側面Ａおよび突合せ面Ｂを接合することによって構成されている。側面全面に接合用の凸部４を設けたことにより溶着面積が多くなり、電池収納ケースの溶着面において強力な接合強度を得ることができる。なお、上ケース１の側面の全面および下ケース２の側面の全面の両方および突合せ面Ｂに接合用の凸部４を設けた形状（図示せず）とすることも同様に可能である。
【００２５】
また、図６は本発明の一実施の形態に係る電池収納ケース３の接合方法を示す断面図である。ここで、下ケース２にリチウムイオン二次電池８を装着した後、固定台座７の凹部に載置し、その上に上ケース１を蓋をするように被せ、上ケース１の上面には電池収納ケース３に縦振動を付与するホーン５を、側面部には電池収納ケース３に横振動を付与する
ホーン６を当接し、超音波溶着機（図示せず）からの所定の振動エネルギーと押圧力をホーン５および６を介して直接的に加えて接合用の凸部４を溶融し、上ケース１と下ケース２の嵌合部の突合せ面と側面を接合し密閉空間を有する電池収納ケース３を接合することができる。
【００２６】
この超音波溶着は、微細な超音波振動および圧力を熱可塑性樹脂に加えることによって、瞬時に樹脂を溶融し接合する技術である。溶着の原理を説明すると、超音波溶着機により電気エネルギーを機械的振動エネルギーに変換し、この振動エネルギーと加圧力を同時にワークに加えることにより、２つの熱可塑性樹脂パーツの接合面に強力な摩擦熱を発生させて樹脂を溶解し接合するものである。振動エネルギーはホーンと呼ばれる共鳴体を介して接合されるパーツの境界面に効率よく伝達され、この境界面で強力な摩擦熱が発生し、樹脂温度は瞬時に溶融温度に達し溶着が行われる。
【００２７】
以下、具体的な実施例について、さらに詳しく説明する。
【実施例１】
【００２８】
本発明の実施例１について図面を参照しながら説明する。まず、図１に示す上ケース１および下ケース２は熱可塑性樹脂（例えばポリカーボネート）をベースとした同一の樹脂材料をあらかじめ皿状あるいは箱状に成形したものであり、上ケース１または下ケース２における嵌合部の側面Ａおよび突合せ面Ｂには接合用の凸部４を設けた構成となっており、この接合用の凸部４が超音波振動によって瞬時に溶融温度に達し溶着が行われることにより、内部に密閉された電池収納空間を有する電池収納ケース３を形成するものである。
【００２９】
まず、図６に示したように下ケース２にリチウムイオン二次電池８を装着した後、固定台座７の凹部に載置して、その上に上ケース１を蓋をするように被せ、上ケース１の上面には電池収納ケース３に縦振動を付与するホーン５を、側面部には電池収納ケース３に横振動を付与するホーン６を当接し、超音波溶着機（図示せず）からの所定の振動エネルギーと押圧力をホーン５および６を介して直接的に加えて密閉空間を有する電池収納ケース３を接合した。以上のようにして得られた電池収納ケース３を実施例１とした。
【００３０】
次に、実施例１の電池収納ケース３の引張強度を測定したところ１４４０Ｎであった。この値は接合の際に縦振動のみを付与して超音波接合した場合に比べて２．４倍の引張強度であり、上ケース１と下ケース２との接合強度が高い電池収納ケース３を得ることができた。
【実施例２】
【００３１】
本発明の実施例２について図面を参照しながら説明する。まず、図３に示す上ケース１および下ケース２は熱可塑性樹脂（例えばポリカーボネート）をベースとした同一の樹脂材料をあらかじめ皿状あるいは箱状に成形したものであり、嵌合部の突合せ面Ｂに上ケース１と下ケース２の側面が接触するようにスライドする傾斜部を設けた形状であり、樹脂からなる上ケース１と下ケース２を互いに嵌合部を重ね合わせた後に嵌合部の側面Ａおよび突合せ面Ｂを接合することによって構成されている。突合せ面と側面を嵌合することで接合するため、凸部４を設けなくても確実に接合できる。樹脂の溶融が起こる際にはスライドするためより多くの樹脂が溶着に消費されて強固な溶着が行われ、内部に密閉された電池収納空間を有する電池収納ケース３を形成するものである。
【００３２】
まず、図６に示したように下ケース２にリチウムイオン二次電池８を装着した後、固定台座７の凹部に載置して、その上に上ケース１を蓋をするようにかぶせ、上ケース１の上面には電池収納ケース３に縦振動を付与するホーン５を、側面部には電池収納ケース３に横振動を付与するホーン６を当接し、超音波溶着機（図示せず）からの所定の振動エネル
ギーと押圧力をホーン５および６を介して直接的に加えて密閉空間を有する電池収納ケース３を接合した。以上のようにして得られた電池収納ケース３を実施例２とした。
【００３３】
次に、実施例２の電池収納ケース３の引張強度を測定したところ１８７０Ｎであった。この値は接合の際に縦振動のみを付与して超音波接合した場合に比べて３．１倍の引張強度であり、上ケース１と下ケース２との接合強度が高い電池収納ケース３を得ることができた。
【実施例３】
【００３４】
本発明の実施例３について図面を参照しながら説明する。まず、図４（ａ）に示す上ケース１および下ケース２は熱可塑性樹脂（例えばポリカーボネート）をベースとした同一の樹脂材料をあらかじめ皿状あるいは箱状に成形したものであり、上ケース１または下ケース２における嵌合部の側面Ａおよび突合せ面Ｂには接合用の凸部４を設けた構成となっており、この接合用の凸部４が超音波振動によって瞬時に溶融温度に達し溶着が行われることにより、内部に密閉された電池収納空間を有する電池収納ケース３を形成するものである。
【００３５】
まず、図６に示したように下ケース２にリチウムイオン二次電池８を装着した後、固定台座７の凹部に載置して、その上に上ケース１を蓋をするように被せ、上ケース１の上面には電池収納ケース３に縦振動を付与するホーン５を、側面部には電池収納ケース３に横振動を付与するホーン６を当接し、超音波溶着機（図示せず）からの所定の振動エネルギーと押圧力をホーン５および６を介して直接的に加えて密閉空間を有する電池収納ケース３を接合した。以上のようにして得られた電池収納ケース３を実施例３とした。
【００３６】
次に、実施例３の電池収納ケース３の引張強度を測定したところ１０００Ｎであった。この値は接合の際に縦振動のみを付与して超音波接合した場合に比べて１．７倍の引張強度であり、上ケース１と下ケース２との接合強度が高い電池収納ケース３を得ることができた。また、溶着に使用されたエネルギーも縦振動のみを付与して超音波接合した場合に比べても１．１倍というわずかな増加であり、本実施例１に比べて３分の１程度であった。
【００３７】
なお、実施例３においては図４（ａ）に示す電池収納ケース３の構成を用いたが、これに限定されるものではなく、図４（ｂ）および図４（ｃ）に示す電池収納ケース３の構成を用いても同様の効果を得ることができる。
【実施例４】
【００３８】
本発明の一実施例について図面を参照しながら説明する。まず、図５（ａ）に示す上ケース１および下ケース２はポリカーボネートのような熱可塑性樹脂をベースとした同一の樹脂材料をあらかじめ皿状あるいは箱状に成形したものであり、上ケース１およびまたは下ケース２における嵌合部の側面Ａの全面および突合せ面Ｂに接合用の凸部４を設けた構成となっており、この接合用の凸部４が超音波振動によって瞬時に溶融温度に達し溶着が行われることにより、内部に密閉された電池収納空間を有する電池収納ケース３を形成するものである。
【００３９】
まず、図６に示したように下ケース２にリチウムイオン二次電池８を装着した後、固定台座７の凹部に載置して、その上に上ケース１を蓋をするようにかぶせ、上ケース１の上面には電池収納ケース３に縦振動を付与するホーン５を、側面部には電池収納ケース３に横振動を付与するホーン６を当接し、図示せぬ超音波溶着機からの所定の振動エネルギーと押圧力をホーン５および６を介して直接的に加えて密閉空間を有する電池収納ケース３を接合した。以上のようにして得られた電池収納ケース３を実施例４とした。
【００４０】
次に、実施例４の電池収納ケース３の引張強度を測定したところ１４００Ｎであった。この値は接合の際に縦振動のみを付与して超音波接合した場合に比べて２．３倍の引張強度であり、上ケース１と下ケース２との接合強度が高い電池収納ケース３を得ることができた。なお、実施例４においては図５（ａ）に示す電池収納ケース３の構成を用いたが、これに限定されるものではなく、図５（ｂ）に示す電池収納ケース３の構成を用いても同様の効果を得ることができる。
【００４１】
（比較例１）
本発明の比較例について図面を参照しながら説明する。まず、図９（ａ）に示す上ケース９および下ケース１０はポリカーボネートのような熱可塑性樹脂をベースとした同一の樹脂材料をあらかじめ皿上あるいは箱状に成形したものであり、上ケース９または下ケース１０の突合せ面には接合用の凸部１４が設けられて各端面を対向させて嵌め合わせることにより、内部に密閉された電池収納空間を有する電池収納ケース１１を形成するものである。
【００４２】
まず、図６に示したように下ケース２にリチウムイオン二次電池８を装着した後、固定台座７の凹部に載置し、その上に上ケース１を蓋をするようにかぶせ、上ケース１の上面には電池収納ケース３に縦振動を付与するホーン５を当接し、側面部の電池収納ケース３に横振動を付与するホーン６は作動させない状態で、図示せぬ超音波溶着機からの所定の振動エネルギーと押圧力をホーン５を介して直接的に加えて密閉空間を有する電池収納ケース３を接合した。以上のようにして得られた電池収納ケース３を比較例１とした。
【００４３】
次に、比較例１の電池収納ケース１１の引張強度を測定したところ６００Ｎであった。この値は接合の際に横振動を付与して超音波接合した場合に比べて低い引張強度であり、上ケース９と下ケース１０との接合強度が高い電池収納ケース１１を得ることができなかった。
【産業上の利用可能性】
【００４４】
本発明に係る電池収納ケースは樹脂からなる上ケースと下ケースを互いに嵌合部を重ね合わせて当接部を接合することによって作り出される内部空間に二次電池を収納するものであって、上ケースまたは下ケースの嵌合部の側面も接合した構成としたことにより、溶着量および溶着面積が減少を防ぐことができ、接合強度を向上させることが可能であり、これらに起因した溶着面の分割を抑制し安全性の高いリチウムイオン二次電池を提供することが可能であるため電子機器および通信機器の多機能化に伴って安全性および電池収納ケースの溶着面における耐久性の向上が望まれている携帯用電源等として有用である。
【符号の説明】
【００４５】
１  上ケース
２  下ケース
３  電池収納ケース
４  接合用の凸部
５  ホーン
６  ホーン
７  固定台座
８  リチウムイオン二次電池
Ａ  嵌合部の側面
Ｂ  嵌合部の突合せ面
Ｃ  溶融樹脂による接合部
Ｄ  ケースの歪みによる隙間
【図１】
2011076968.tif 000003
【図２】
2011076968.tif 000004
【図３】
2011076968.tif 000005
【図４】
2011076968.tif 000006
【図５】
2011076968.tif 000007
【図６】
2011076968.tif 000008
【図７】
2011076968.tif 000009
【図８】
2011076968.tif 000010
【図９】
2011076968.tif 000011